(57)【特許請求の範囲】
【請求項１】
物品やサービス予約などを販売する自動販売機（以下  自販機  と略称する）と、アクセスポイントに発呼データをパケット通信伝送する自販機利用者の携帯電話と、前記発呼データを認証し前記アクセスポイントに、専用もしくは公衆ディジタル通信回線を経由して、通信接続する端末パケット通信センターと、前記発呼データを受信登録すると共に自販機利用者の会員管理、前記自販機の購入受付管理並びに自販機の販売管理を行うＭＭＰ（モバイル・マネー・プロバイダー）サーバと、前記ＭＭＰサーバと専用もしくは公衆ディジタル通信回線を経由して、通信接続されているパケット通信センターと、
前記自販機の投入金額制御、商品選択および商品搬出などの制御を行う自販機制御手段と前記パケット通信センターと通信接続されているパケット通信手段と前記パケット通信手段からの受信データに基づいて前記自販機制御手段を制御するＭＭＳ制御手段とを有するＭＭＳユニットとで構成される自販機の代金支払認証システムを用いて、
前記自販機利用者の会員ＩＤ、暗証番号などの会員データと代金の決済方法と詳細手続などの決済データとを予め前記ＭＭＰサーバに登録し、該ＭＭＰサーバは前記自販機の購入受付のホームページを生成し、前記利用者は携帯電話を利用して前記ホームページにアクセスすると共に前記会員登録データ、並びに自販機のＩＤ（以下  自販機ＩＤと云う）を送信し、前記ＭＭＰサーバは該当会員の登録された会員データを暗号化した暗号化会員データを生成し、該暗号化会員データを前記携帯電話に返信すると共に前記ＭＭＰサーバに登録された会員データは、前記パケット通信センターを経由して、前記ＭＭＳユニットに送信し、前記ＭＭＳ制御手段は前記携帯電話より暗号化会員データを読取った後、暗号化データを解読し前記受信した会員データと一致した場合、前記自販機制御手段に販売可能の指令を出し、利用者の商品選択購入が完了すると取引データを生成し、該取引データを、前記パケット通信センターを経由して、前記ＭＭＰサーバに通知することを特徴とする携帯電話を利用した自動販売機の代金支払認証方法。
【請求項２】
前記ＭＭＰサーバの会員データの暗号化手段を、前記会員データからバーコード形式の暗号化会員データを生成するバーコード生成手段とすることを特徴とする請求項１に記載の携帯電話を利用した自動販売機の代金支払認証方法。
【請求項３】
前記ＭＭＰサーバの会員データの暗号化手段を、前記会員データから二次元コードデータ形式の暗号化会員データを生成する二次元コードデータ生成手段とすることを特徴とする請求項１に記載の携帯電話を利用した自動販売機の代金支払認証方法。
【請求項４】
前記ＭＭＰサーバの会員データの暗号化手段を、前記会員データから数値暗号データ形式の暗号化会員データを生成する数値暗号データ生成手段とすることを特徴とする請求項１に記載の携帯電話を利用した自動販売機の代金支払認証方法。
【請求項５】
前記ＭＭＰサーバの会員データの暗号化手段を、前記会員データから文字列暗号データ形式の暗号化会員データを生成する文字列暗号データ生成手段とすることを特徴とする請求項１に記載の携帯電話を利用した自動販売機の代金支払認証方法。
【請求項６】
前記ＭＭＰサーバの会員データの暗号化手段を、前記会員データに該当会員の指紋データを付加した形式の指紋暗号化会員データを生成する指紋データ生成手段とすることを特徴とする請求項１に記載の携帯電話を利用した自動販売機の代金支払認証方法。
【請求項７】
前記ＭＭＰサーバの会員データの暗号化手段を、前記会員データに該当会員の手書きサインを付加した形式のサイン暗号化会員データを生成するサインデータ生成手段とすることを特徴とする請求項１に記載の携帯電話を利用した自動販売機の代金支払認証方法。
【請求項８】
前記自販機の代金支払認証システムに、インターネットの通信データを交換接続するインターネットプロバイダー機能を有するＭＭＮサーバと、前記携帯電話にアナログモデムとを追加設置し、該携帯電話より送信するデータを、音声信号をダイヤル接続交換する端末通信センター経由で、前記ＭＭＮサーバに送出することを特徴とする請求項１に記載の携帯電話を利用した自動販売機の代金支払認証方法。
【請求項９】
物品やサービス予約などを販売する自動販売機（以下  自販機と略称する）と、
アクセスポイントに発呼データをパケット通信伝送すると共に該自販機とのＩ／Ｆ手段を有する自販機利用者の携帯電話と、
前記発呼データを認証し前記アクセスポイントに、専用もしくは公衆ディジタル通信回線を経由して、通信接続する端末パケット通信センターと、
前記発呼データを受信すると共に自販機利用者の会員管理を行う会員管理手段と、前記自販機の購入受付管理を行うホームページ手段と、自販機の販売管理を行う販売管理手段と、前記会員管理手段に登録されている会員データを暗号化した暗号化会員データを生成する暗号化手段とを有するＭＭＰサーバと、
前記ＭＭＰサーバと専用もしくは公衆ディジタル通信回線を経由して、通信接続されているパケット通信センターと、
前記パケット通信センターと通信接続されているパケット通信機と外部装置とのデータ伝送のインターフェイスを行うＩ／Ｆ部とを有するパケット通信手段と、販売商品を保管する商品保管部と自販機への投入金額を認識制御する投入金額認識制御部と商品選択を行う商品確認選択部と販売商品の種類、単価などを記憶している商品データメモリと販売可能商品や投入金額などの表示制御を行う表示制御部と投入金額と選択商品の単価に基づいて該当商品の選択制御を行う自販機課金制御部と該自販機課金制御部の選択指令に基づいて商品を選択搬出する商品選択搬出部と外部装置とのデータ伝送のインターフェイスを行うＩ／Ｆ部とを有する自販機制御手段と、前記携帯電話からの暗号化会員データを受信する携帯Ｉ／Ｆ部を有する携帯Ｉ／Ｆ手段と該暗号化会員データを解読して会員データを読み出す会員データ解読手段と前記パケット通信手段経由の受信データより会員データを分離する会員データ分離部と分離された会員データと解読された会員データの一致を判断出力する判別制御部と該一致の判断出力に基づいて前記自販機制御手段に商品販売可能の指令を出すと共に装置内の各部に制御指令を行うＭＭＳ制御部と自販機のＩＤを記憶している自販機ＩＤメモリと前記ＭＭＳ制御部よりの取引完了通知に基づいて会員ＩＤ、取引金額、自販機ＩＤなどの取引データを生成する取引データ生成部とを有するＭＭＳ制御手段とでなるＭＭＳユニットとで構成し、前記電話を用いて前記自動販売機にアクアセスし、発呼データ送出、購入商品の選択などを行い、前記ＭＭＳユニットは会員データの認証、自販機に対する商品搬出制御、前記取引データを生成・記憶すると共に前記ＭＭＰサーバに該取引データを通知することを特徴とする携帯電話を利用した自動販売機の代金支払認証システム。
【請求項１０】
前記携帯Ｉ／Ｆ手段を、前記携帯電話の表示部に表示されたバーコードを読み取るバーコード読取手段とすることを特徴とする請求項９に記載の携帯電話を利用した自動販売機の代金支払認証システム。
【請求項１１】
前記携帯Ｉ／Ｆ手段を、前記携帯電話の表示部に表示された文字データを読み取るＯＣＲ（Ｏｐｔｉｃａｌ  Ｃｈａｒａｃｔｅｒ  Ｒｅａｄｅｒ）手段とすることを特徴とする請求項９に記載の携帯電話を利用した自動販売機の代金支払認証システム。
【請求項１２】
前記携帯Ｉ／Ｆ手段を、前記携帯電話の表示部に表示され二次元コードデータを読取る二次元コード読取手段とすることを特徴とする請求項９に記載の携帯電話を利用した自動販売機の代金支払認証システム。
【請求項１３】
前記携帯Ｉ／Ｆ手段を、前記携帯電話より赤外線伝送手段により伝送されるコードデータを受信する赤外線受信手段とすることを特徴とする請求項９に記載の携帯電話を利用した自動販売機の代金支払認証システム。
【請求項１４】
前記携帯Ｉ／Ｆ手段を、前記携帯電話より微弱電波伝送手段により伝送されるコードデータを受信する微弱電波受信手段とすることを特徴とする請求項９に記載の携帯電話を利用した自動販売機の代金支払認証システム。
【請求項１５】
前記会員データ解読手段を、前記携帯電話より入力された数値暗号化データを解読して会員データを生成する数値暗号化データ解読手段とすることを特徴とする請求項９に記載の携帯電話を利用した自動販売機の代金支払認証システム。
【請求項１６】
前記会員データ解読手段を、前記携帯電話より入力された文字列暗号化データを解読して会員データを生成する文字列暗号化データ解読手段とすることを特徴とする請求項９に記載の携帯電話を利用した自動販売機の代金支払認証システム。
【請求項１７】
前記会員データ解読手段を、前記携帯電話より入力された暗号化指紋データを解凍して指紋データ付き会員データを生成する指紋暗号化データ解凍手段とすることを特徴とする請求項９に記載の携帯電話を利用した自動販売機の代金支払認証システム。
【請求項１８】
前記会員データ解読手段に、利用者の指紋データを直接読み取る指紋読取部を追加設置することを特徴とする請求項９に記載の携帯電話を利用した自動販売機の代金支払認証システム。」
【発明の詳細な説明】
【０００１】
【発明の属する技術分野】
本発明は、携帯電話回線網に接続された自動販売機における代金支払認証方法と代金支払認証システムに関わり、より詳細には、携帯電話と、携帯電話回線網に接続されたＭＭＰサーバ、およびＭＭＳユニットを内蔵した自動販売機とで構成された、携帯電話利用の自動販売機代金支払認証方法と自動販売機代金支払認証システムに係わる。
【０００２】
【従来の技術】
コーヒー、タバコなどの小額商品から書籍、衣料品などの中型商品まで様々な自動販売機が設置され、多くの人が利用し、日常生活に欠かせない存在となっている。又携帯電話機も固定電話機を上回る利用台数となり普及が進んでいる。
自動販売機での商品購入の支払は、通常コインや紙幣などの現金決済、一部でＩＣカードやデビットカードなどのカード決済が行われている。
現金決済では小額商品購入時に小銭を持ち合わせない場合や自販機の釣り銭切れなどにより、しばしば、希望商品の購入を断念すると云う問題点がある。
ＩＣカードやデビットカードなど現金性の高いカード決済では、常にカードの残高を確認したり、プリペイド処理を行うなど煩雑な行為が伴っている。一方、一般的クレジットカードは認証処理を伴うため、自販機では使用することが出来ないと云う問題点がある。
携帯電話を疑似カードとして、携帯電話の通話料などと一緒に料金回収するシステムの運用が開始されているが、携帯電話を他人に盗用されることを防ぐ手だてがないという問題が発生している。
広く普及している携帯電話機と携帯電話網に接続されている自動販売機の購入代金支払認証機能を利用した、携帯電話利用の自動販売機代金支払認証システムの提案が望まれている。
【０００３】
【発明が解決しようとする課題】
以上に説明した問題点と課題に鑑み、本発明は、携帯電話機と携帯電話回線網に接続されたＭＭＰサーバ、およびＭＭＳユニットを内蔵した自動販売機とで構成し、ＭＭＰサーバより送出する暗号化会員データに基づき支払認証を行う携帯電話利用の自動販売機代金支払認証方法と自動販売機代金支払認証システムの提案を目的とする。
【０００４】
【課題を解決するための手段】
物品やサービス予約などを販売する自販機と、アクセスポイントに発呼データをパケット通信伝送する自販機利用者の携帯電話と、発呼データを認証しアクセスポイントに、専用もしくは公衆ディジタル通信回線を経由して、通信接続する端末パケット通信センターと、発呼データを受信登録すると共に自販機利用者の会員管理、自販機の購入受付管理並びに自販機の販売管理を行うＭＭＰサーバと、該ＭＭＰサーバと専用もしくは公衆ディジタル通信回線を経由して、通信接続されているパケット通信センターと、
自販機の投入金額制御、商品選択および商品搬出などの制御を行う自販機制御手段とパケット通信センターと通信接続されているパケット通信手段とパケット通信手段からの受信データに基づいて自販機制御手段を制御するＭＭＳ制御手段とを有するＭＭＳユニットとで構成される自販機の代金支払認証システムを用いて、
利用者はＭＭＰサーバの会員として会員ＩＤ、暗証番号などの会員データ、及び代金の決済方法と詳細手続などの決済データを予め該ＭＭＰサーバに登録し、該ＭＭＰサーバは自販機の購入受付のホームページを生成し、利用者は携帯電話を利用してホームページにアクセスすると共に会員登録データ、並びに自販機ＩＤなどを送信し、ＭＭＰサーバは該当会員の登録された会員データを暗号化した暗号化会員データを生成し、該暗号化会員データを携帯電話に返信すると共に会員データは、パケット通信センターを経由して、ＭＭＳユニットに送信し、ＭＭＳ制御手段は携帯電話より暗号化会員データを読取った後、暗号化データを解読し受信した会員データと一致した場合、自販機制御手段に販売可能の指令を出し、利用者の商品選択購入が完了すると取引データを生成し、該取引データを、パケット通信センターを経由して、ＭＭＰサーバに通知する。
【０００５】
前記ＭＭＰサーバの会員データの暗号化手段を、
会員データからバーコード形式の暗号化会員データを生成するバーコード生成手段とする、
会員データから二次元コードデータ形式の暗号化会員データを生成する二次元コードデータ生成手段とする、
会員データから数値暗号データ形式の暗号化会員データを生成する数値暗号データ生成手段とする、
もしくは、会員データから文字列暗号データ形式の暗号化会員データを生成する文字列暗号データ生成手段とする。
【０００６】
前記ＭＭＰサーバの会員データの暗号化手段を、
会員データに該当会員の指紋データを付加した形式の指紋暗号化会員データを生成する指紋データ生成手段とする、
もしくは、会員データに該当会員の手書きサインを付加した形式のサイン暗号化会員データを生成するサインデータ生成手段とする。
【０００７】
前記自販機の代金支払認証システムに、インターネットプロバイダー機能を有するＭＭＮサーバと、携帯電話にアナログモデムとを追加設置し、該携帯電話より送信するデータを、音声信号をダイヤル接続交換する端末通信センター経由で、ＭＭＮサーバに送出する。
【０００８】
自動販売機の代金支払認証システムを、
物品やサービス予約などを販売する自販機と、
アクセスポイントに発呼データをパケット通信伝送すると共に該自販機とのＩ／Ｆ手段を有する自販機利用者の携帯電話と、
発呼データを認証しアクセスポイントに、専用もしくは公衆ディジタル通信回線を経由して、通信接続する端末パケット通信センターと、
発呼データを受信すると共に自販機利用者の会員管理を行う会員管理手段と、自販機の購入受付管理を行うホームページ手段と、自販機の販売管理を行う販売管理手段と、会員管理手段に登録されている会員データを暗号化した暗号化会員データを生成する暗号化手段とを有するＭＭＰサーバと、
ＭＭＰサーバと専用もしくは公衆ディジタル通信回線を経由して、通信接続されているパケット通信センターと、
パケット通信センターと通信接続されているパケット通信機と外部装置とのデータ伝送のインターフェイスを行うＩ／Ｆ部とを有するパケット通信手段と、販売商品を保管する商品保管部と自販機への投入金額を認識制御する投入金額認識制御部と商品選択を行う商品確認選択部と販売商品の種類、単価などを記憶している商品データメモリと販売可能商品や投入金額などの表示制御を行う表示制御部と投入金額と選択商品の単価に基づいて該当商品の選択制御を行う自販機課金制御部と該自販機課金制御部の選択指令に基づいて商品を選択搬出する商品選択搬出部と外部装置とのデータ伝送のインターフェイスを行うＩ／Ｆ部とを有する自販機制御手段と、携帯電話からの暗号化会員データを受信する携帯のＩ／Ｆ部を有する携帯Ｉ／Ｆ手段と該暗号化会員データを解読して会員データを読み出す会員データ解読手段とパケット通信手段経由の受信データより会員データを分離する会員データ分離部と分離された会員データと解読された会員データの一致を判断出力する判別制御部と該一致の判断出力に基づいて自販機制御手段に商品販売可能の指令を出すと共に装置内の各部に制御指令を行うＭＭＳ制御部と自販機のＩＤを記憶している自販機ＩＤメモリとＭＭＳ制御部よりの取引完了通知に基づいて会員ＩＤ、取引金額、自販機ＩＤなどの取引データを生成する取引データ生成部とを有するＭＭＳ制御手段とでなるＭＭＳユニットとで構成する。
【０００９】
前記携帯Ｉ／Ｆ手段を、
携帯電話の表示部に表示されたバーコードを読み取るバーコード読取手段とする、
携帯電話の表示部に表示された文字データを読み取るＯＣＲ手段とする、
もしくは、携帯電話の表示部に表示され二次元コードデータを読取る二次元コード読取手段とする。
【００１０】
前記携帯Ｉ／Ｆ手段を、
携帯電話より赤外線伝送手段により伝送されるコードデータを受信する赤外線受信手段とする、
もしくは、携帯電話より微弱電波伝送手段により伝送されるコードデータを受信する微弱電波受信手段とする。
【００１１】
前記会員データ解読手段を、
携帯電話より入力された数値暗号化データを解読して会員データを生成する数値暗号化データ解読手段とする、
携帯電話より入力された文字列暗号化データを解読して会員データを生成する文字列暗号化データ解読手段とする、
もしくは、携帯電話より入力された暗号化指紋データを解凍して指紋データ付き会員データを生成する指紋暗号化データ解凍手段とする。
【００１２】
前記会員データ解読手段に、利用者の指紋データを直接読み取る指紋読取部を追加設置する。
【００１３】
【発明の実施の形態】
図１に示す本発明による自動販売機の代金支払認証システムの一実施例のシステム構成図を用いて、本システムの構成と代金支払認証方法の概要を説明する。
実施例の自動販売機の代金支払認証システムは、
物品やサービス予約などを販売する自販機１と、アクセスポイントに発呼データをパケット通信伝送する自販機利用者の携帯電話２と、発呼データを認証しアクセスポイントに、専用もしくは公衆ディジタル通信回線Ｌ１、９、Ｌ４，を経由して、通信接続する端末パケット通信センター４と、
発呼データを受信すると共に自販機利用者の会員管理を行う会員管理手段５３と、自販機１の購入受付管理を行うホームページ手段５２と、自販機１の販売管理を行う販売管理手段５１と、会員管理手段５１に登録されている会員データを暗号化した暗号化会員データを生成する暗号化手段５４とを有するＭＭＰサーバ５と、
該ＭＭＰサーバ５と専用もしくは公衆ディジタル通信回線Ｌ５を経由して、通信接続されているパケット通信センター６と、
自販機１の投入金額制御、商品選択および商品搬出などの制御を行う自販機制御手段３０とパケット通信センター６と通信接続されているパケット通信手段４０とパケット通信手段４０からの受信データに基づいて自販機制御手段３０を制御するＭＭＳ制御手段１０とを有するＭＭＳユニット３とで構成されている。
【００１４】
本システムでは、自販機の商品購入代金の支払を利用者が予め登録した決済方法で処理することを前提としている。
図３に示す本発明の自動販売機の代金支払認証方法の動作フロー図を加えて、基本的処理の方法を説明する。
利用者はＭＭＰサーバ５の会員として会員ＩＤ、暗証番号などの会員データと、代金の決済方法と詳細手続などの決済データなどを予めＭＭＰサーバ５に登録ＳＴ１する。会員データ及び決済データは、会員管理手段５３に記憶登録され、会員ＩＤ毎に、暗証番号もしくはパスワードにより、該当データへのアクセス管理ＳＴ２を行っている。
【００１５】
ＭＭＰサーバ５のホームページ手段５２は、自販機１の商品購入受付用の会員制ホームページを開設している。利用者は、携帯電話２を利用して、会員ＩＤ、暗証番号もしくはパスワード及び自販機ＩＤなどを入力してホームページにアクセスＳＴ３する。利用者がホームページを用いて自販機１の商品購入を申し込むと、会員管理手段５３は、該当会員の会員データを検索出力し、暗号化手段５４に入力する。暗号化手段５４は、登録された会員データを暗号化した暗号化会員データを生成する。
【００１６】
該暗号化会員データは、ホームページの送信データとして携帯電話に返信ＳＴ４される。同時に検索出力された会員データは、販売管理手段５１により、パケット通信センター６を経由してパケット通信手段４０に送信され、ＭＭＳ制御手段１０にデータ入力ＳＴ４される。
ＭＭＳ制御手段１０は、データ入力を受けると、自販機１の利用者に携帯電話２の受信データを読み取らせるよう促しＳＴ５、携帯電話２より暗号化会員データを読取る。暗号化会員データは解読され、元の会員データを生成するＳＴ６。解読した会員データとデータ入力された会員データは一致又は不一致の判定がなされる。一致の判定出力が得られると、自販機制御手段３０に販売可能の指令を出すＳＴ７。
【００１７】
自販機制御手段３０は、全ての商品の購入選択を可能とし、利用者が商品を選択すると商品搬出口１ｃに該当商品を排出すると共に販売商品販売数量、単価などの課金データをＭＭＳ制御手段１０に通知する。
ＭＭＳ制御手段１０は、課金データに会員ＩＤ、取引番号、自販機ＩＤなどを付加した取引データを生成して、パケット通信センター６を経由して、ＭＭＰサーバ５に通知ＳＴ８する。
【００１８】
ＭＭＰサーバ５の販売管理手段５１は、取引および会員ＩＤ毎に取引データを追加登録する。登録された取引データに基づいて、該当会員の金融取引口座を有するＭＭＢサーバ７に定期的に代金支払請求を行う。
【００１９】
前述のＭＭＰサーバ５の会員データの暗号化手段５４は、認証のための会員データを秘密理に携帯電話２に送信する手段であり、携帯電話２の表示部２ａ表示されても盗読することが出来ない形式のデータを生成する。
会員データの暗号化の手段は、バーコード形式の暗号化会員データを生成するバーコード生成手段、二次元コードデータ形式の暗号化会員データを生成する二次元コードデータ生成手段、数値暗号データ形式の暗号化会員データを生成する数値暗号データ生成手段、もしくは、文字列暗号データ形式の暗号化会員データを生成する文字列暗号データ生成手段などが選択できる。
【００２０】
さらに、会員データに該当会員の指紋データを付加した形式の指紋暗号化会員データを生成する指紋データ生成手段、もしくは、会員データに該当会員の手書きサインを付加した形式のサイン暗号化会員データを生成するサインデータ生成手段なども選択できる。
【００２１】
又、携帯電話２からＭＭＰサーバ５のホームページへのアクセス手段として、携帯電話２にアナログモデムとを追加設置して、音声信号をダイヤル接続する端末通信センター４Ａ経由で、インターネットプロバイダーが運営するＭＭＮサーバ８にダイヤルアップした後、ＭＭＰサーバ５に接続する方法もある。パケット通信が出来ない携帯電話やパケット通信サービス地域外からのアクセス手段として用いられる。
【００２２】
図２に示す本発明によるＭＭＳユニットの一実施例の要部ブロック図を加えて、ＭＭＳユニットの構成と動作を説明する。
実施例のＭＭＳユニット３は、パケット通信センター６と通信接続されているパケット通信機４１と外部装置とのデータ伝送のインターフェイスを行うＩ／Ｆ部４２とを有するパケット通信手段４０と、
販売商品を保管する商品保管部３１と、自販機１への投入金額を認識制御する投入金額認識制御部３２と、商品選択を行う商品確認選択部３３と、販売商品の数量、単価データなどを記憶している商品データメモリ３６と、販売可能商品や投入金額などの表示制御を行う表示制御部３７と、投入金額と選択商品の単価に基づいて該当商品の選択制御を行う自販機課金制御部３５と、該自販機課金制御部３５の選択指令に基づいて商品を選択搬出する商品選択搬出部３４と、外部装置とのデータ伝送のインターフェイスを行うＩ／Ｆ部３８とを有する自販機制御手段３０と、
携帯電話２からの暗号化会員データを受信する携帯Ｉ／Ｆ部１１ｂを有する携帯Ｉ／Ｆ手段１１と、該暗号化会員データを解読して会員データを読み出す会員データ解読手段１２と、パケット通信手段４０経由の受信データより会員データを分離する会員データ分離部１４と、分離された会員データと解読された会員データの一致を判断出力する判別制御部１５と、一致の判断出力に基づいて自販機制御手段３０に商品販売可能の指令を出すと共に装置内の各部に制御指令を行うＭＭＳ制御部１８と、自販機ＩＤを記憶している自販機ＩＤメモリ１６と、ＭＭＳ制御部１８よりの取引完了通知に基づいて会員ＩＤ、取引金額、自販機ＩＤなどの取引データを生成する取引データ生成部１７とを有するＭＭＳ制御手段１０部とで基本構成されている。
【００２３】
携帯Ｉ／Ｆ手段１１は、携帯電話２の表示部２ａに表示された暗号化会員データを読み取る第一のグループと、携帯電話２の付加された通信手段を用いて、暗号化会員データを直接受信する第二のグループがある。
【００２４】
第一のグループは、バーコードを読み取るバーコード読取手段、文字データを読み取るＯＣＲ手段、もしくは、二次元コードデータを読取る二次元コード読取手段などがある。いずれの暗号化会員データは、肉眼でデータを判読することは出来ない。
【００２５】
第二のグループは、赤外線伝送手段により伝送されるコードデータを受信する赤外線受信手段、もしくは、微弱電波伝送手段により伝送されるコードデータを受信する微弱電波受信手段などである。伝送されるコードデータは暗号化処理が施されており、専用の解読器を用いないと解読することは出来ない。
【００２６】
第三の方法として、会員データ解読手段に、指紋読取部１３を追加設置して、利用者の指紋データを直接読み取り特徴抽出した指紋データを生成し、事前に登録されている指紋データと比較判定される。この方法によれば、携帯電話２の現在の利用者の個人確認を確実に行うことが出来る。
【００２７】
前述の会員データ解読手段は、数値暗号化データを解読して会員データを生成する数値暗号化データ解読手段、文字列暗号化データを解読して会員データを生成する文字列暗号化データ解読手段、もしくは、暗号化指紋データを解凍して指紋データ付き会員データを生成する指紋暗号化データ解凍手段などが選択可能である。データの暗号化は暗号展開式を用いて論理演算されたものであり、解読時には逆暗号展開式を用る。
【００２８】
次いで、ＭＭＳユニット３内の動作を、認証情報の流に沿って詳細説明する。
利用者がＭＭＰサーバ５のホームページにアクセスして、所定の入力を行うと暗号化会員データが携帯電話２に送出されると共に、元の会員データはパケット通信センター６を経由してパケット通信手段４０に送出される。
パケット通信機４１は受信データを復調し、Ｉ／Ｆ部４２、２１を経由してＭＭＳ制御手段１０に入力する。会員データ分離部１４は、受信データより会員データを分離出力してＭＭＳ制御部１８に入力する。ＭＭＳ制御部１８は、利用者に携帯電話２を携帯挿入部１１ａに挿入するよう促す表示データを生成して、表示制御部３７に送出する。表示制御部３７は表示画像データを生成し表示部３７ａに表示出力させる。
【００２９】
利用者の携帯電話２の表示部２ａには、ＭＭＰサーバ５より受信したバーコード形式の暗号化会員データが表示されている。携帯電話２が挿入されると、端末Ｉ／Ｆ部１１ｂは、表示部２ａのバーコード形式の暗号化会員データをイメージ入力しした後、所定の形式の暗号化会員データとして変換出力する。
【００３０】
会員データ解読手段１２は、暗号化会員データを逆暗号化関数を用いて、元の会員データを解読出力する。実施例のシステムでは、暗号化手段としてバーコードデータのみを用いているので、逆暗号化関数を用いる必要がない。よりセキュリティ機能を強化したシステムにあっては、会員データを暗号化した上、さらにバーコードデータ化を行っている。
【００３１】
判別制御部１５は、受信データより分離出力された会員データと解読された会員データとを比較し、一致又は不一致の判定を行う。一致の判定出力はＭＭＳ制御部１８に通知される。
ＭＭＳ制御部１８は自販機課金制御部３５に全商品の選択可能の制御指令を出す。自販機課金制御部３５は全商品選択可能の表示を行う。利用者が商品選択ボタン３３ａで商品選択を行うと、商品確認選択部３３は、該当商品の棚番と商品コードを確認し、商品選択搬出部３４に商品搬出指令を出す。商品選択搬出部３４は、商品保管部３１より該当商品を搬出して、商品搬出口１ｃに搬出する。自販機課金制御部３５は商品データメモリに登録されている商品コード、単価、販売数量などを、ＭＭＳ制御手段１０に通知する。
【００３２】
取引データ生成部１７は、商品コード、単価、販売数量、会員ＩＤ、取引番号、自販機ＩＤなどで構成される取引データを生成し、パケット通信機４１を経由して、ＭＭＰサーバ５に送信する。
以降の動作はすでに説明済であり省略する。
以上に説明した暗号化会員データを自販機の代金支払の認証手段として用いることにより、携帯電話の盗難や盗用に際、不正使用を排除することが出きネット取引の安全性が向上する。
【００３３】
【発明の効果】
本発明は以上に説明した内容で実施され、以下に述べる効果を奏する。
利用者はＭＭＰサーバの会員として会員ＩＤ、暗証番号などの会員データ及び代金の決済方法と詳細手続などの決済データを予め該ＭＭＰサーバに登録し、該ＭＭＰサーバは自販機の購入受付のホームページを生成し、利用者は携帯電話を利用してホームページにアクセスすると共に会員登録データ、並びに自販機ＩＤなどを送信し、ＭＭＰサーバは該当会員の登録された会員データを暗号化した暗号化会員データを生成し、該暗号化会員データを携帯電話に返信すると共に会員データは、パケット通信センターを経由して、ＭＭＳユニットに送信し、ＭＭＳ制御手段は携帯電話より暗号化会員データを読取った後、暗号化データを解読し受信した会員データと一致した場合、自販機制御手段に販売可能の指令を出し、利用者の商品選択購入が完了すると取引データを生成し、該取引データを、パケット通信センターを経由して、ＭＭＰサーバに通知することにより、ネット取引の安全性が向上する携帯電話を利用した自動販売機の代金支払認証方法と代金支払認証システムの提案ができた。
【図面の簡単な説明】
【図１】  本発明による自動販売機の代金支払認証システムの一実施例のシステム構成図である。
【図２】  本発明によるＭＭＳユニットの一実施例の要部ブロック図である。
【図３】  本発明の自動販売機の代金支払認証方法の動作フロー図である。
【符号の説明】
Ｌ１、Ｌ３、Ｌ４、Ｌ５、Ｌ６、Ｌ６、９  専用もしくは公衆ディジタル通信回線
１  自販機
１ｃ  商品搬出口
２  携帯電話
２ａ、３７ａ  表示部
３  ＭＭＳユニット
４  端末パケット通信センター
４Ａ  端末通信センター
５  ＭＭＰサーバ
６  パケット通信センター
７  ＭＭＢサーバ
８  ＭＭＮサーバ
１０  ＭＭＳ制御手段
１１  携帯Ｉ／Ｆ手段
１１ａ  携帯挿入部
１１ｂ  携帯Ｉ／Ｆ部
１２  会員データ解読手段
１３  指紋読取部
１４  会員データ分離部
１５  判別制御部
１６  自販機ＩＤメモリ
１７  取引データ生成部
１８  ＭＭＳ制御部
２０，２１、３８、４２  Ｉ／Ｆ部
３０  自販機制御手段
３１  商品保管部
３２  投入金額認識制御部
３３  商品確認選択部
３３ａ  商品選択ボタン
３４  商品選択搬出部
３５  自販機課金制御部
３６  商品データメモリ
３７  表示制御部
４０  パケット通信手段
４１  パケット通信機
５１  販売管理手段
５２  ホームページ手段
５３  会員管理手段
５４  暗号化手段
【図１】
0003646180.tif 000002
【図２】
0003646180.tif 000003
【図３】
0003646180.tif 000004